(57)【特許請求の範囲】
【請求項１】
かご室の天井に取付けられる照明器具と、
前記かご室の天井に取付けられるとともに前記かご室の天井に取付けられた前記照明器具の外周側に配置され、前記照明器具の下側に前記照明器具を露出させる開口部を有する照明器具ケースと、
一端側をヒンジにより上下方向回動可能に前記照明器具ケースに連結され、前記開口部を閉止する閉止位置と前記開口部を開放する開放位置との間で回動するとともに、閉止位置に位置する場合に側面の少なくとも一部が前記照明器具ケースの下端部より下側に位置する透光性を有する傘部材と、
前記傘部材の他端側に取付けられ、前記傘部材が閉止位置に位置する場合に前記照明器具ケースに取付けられたフック部に係脱可能に引っ掛けられるラッチ部と、
前記傘部材の他端側の側面に取付けられたロック部材と、
前記ロック部材を、前記かご室に設けられた保持部に係脱可能にロックするロック機構と、を備え、
前記ロック部材は、閉止位置に位置する前記傘部材における水平方向へスライド可能に取付けられ、
前記ロック機構は、前記ロック部材に形成されてこのロック部材のスライド方向に沿った方向に小径部と大径部とを有するダルマ穴と、前記保持部に固定されたナットと、前記小径部より大径であるとともに前記大径部より小径である頭部を一端側に有し、前記小径部に挿通されて他端側が前記ナットに螺合された場合に前記ロック部材と前記保持部とを締付け固定するロックネジと、を有することを特徴とするエレベータのかご室内照明装置。
【請求項２】
かご室の天井に取付けられる照明器具と、
前記かご室の天井に取付けられるとともに前記かご室の天井に取付けられた前記照明器具の外周側に配置され、前記照明器具の下側に前記照明器具を露出させる開口部を有する照明器具ケースと、
一端側をヒンジにより上下方向回動可能に前記照明器具ケースに連結され、前記開口部を閉止する閉止位置と前記開口部を開放する開放位置との間で回動するとともに、閉止位置に位置する場合に側面の少なくとも一部が前記照明器具ケースの下端部より下側に位置する透光性を有する傘部材と、
前記傘部材の他端側に取付けられ、前記傘部材が閉止位置に位置する場合に前記照明器具ケースに取付けられたフック部に係脱可能に引っ掛けられるラッチ部と、
前記傘部材の他端側の側面に取付けられたロック部材と、
前記ロック部材を、前記かご室に設けられた保持部に係脱可能にロックするロック機構と、を備え、
前記ロック部材は、閉止位置に位置する前記傘部材における水平方向へスライド可能に取付けられ、
前記ロック機構は、前記ロック部材に形成されてこのロック部材のスライド方向に沿った方向に小径部と大径部とを有するダルマ穴と、前記保持部に固定されたマグネットと、前記小径部より大径であるとともに前記大径部より小径である頭部を一端側に有し、前記小径部に挿通されて他端側が前記マグネットに吸着された場合に前記ロック部材と前記保持部とを締め付け固定するロックピンと、を有することを特徴とするエレベータのかご室内照明装置。
【請求項３】
かご室の天井に取付けられる照明器具と、
前記かご室の天井に取付けられるとともに前記かご室の天井に取付けられた前記照明器具の外周側に配置され、前記照明器具の下側に前記照明器具を露出させる開口部を有する照明器具ケースと、
一端側をヒンジにより上下方向回動可能に前記照明器具ケースに連結され、前記開口部を閉止する閉止位置と前記開口部を開放する開放位置との間で回動するとともに、閉止位置に位置する場合に側面の少なくとも一部が前記照明器具ケースの下端部より下側に位置する透光性を有する傘部材と、
前記傘部材の他端側に取付けられ、前記傘部材が閉止位置に位置する場合に前記照明器具ケースに取付けられたフック部に係脱可能に引っ掛けられるラッチ部と、
前記傘部材の他端側の側面に取付けられたロック部材と、
前記ロック部材を、前記かご室に設けられた保持部に係脱可能にロックするロック機構と、を備え、
前記ロック部材は、閉止位置に位置する前記傘部材における水平方向へスライド可能に取付けられ、
前記ロック機構は、前記ロック部材に形成されてこのロック部材のスライド方向に沿った方向に小径部と大径部とを有するダルマ穴と、前記小径部より大径であるとともに前記大径部より小径である頭部を一端側に有して他端側にバネ受け部を有するロックピンと、前記バネ受け部と前記保持部との間に介装されて前記ロックピンが前記小径部に挿通されている場合に前記ロック部材と前記保持部とを締め付け固定する方向に前記ロックピンを付勢するコイルバネと、を有することを特徴とするエレベータのかご室内照明装置。
【請求項４】
前記ロック部材は、スライドする水平方向と直交する上下方向へ回動可能に取付けられていることを特徴とする請求項１ないし３のいずれか一項に記載のエレベータのかご室内照明装置。
【発明の詳細な説明】
【技術分野】
【０００１】
本発明の実施形態は、エレベータのかご室内照明装置に関する。
【背景技術】
【０００２】
エレベータのかご室には、かご室内を照明するかご室内照明装置が設けられており、エレベータのかご室内照明装置の一例として下記特許文献１に記載されたものが知られている。特許文献１に記載されたエレベータのかご室内照明装置は、かご室の天井に取付けられた複数の照明器具と、照明器具を覆うケースとを備えている。ケースは、下側に開口部を有して天井面に固定された固定部と、開口部に配置されて固定部に取付けられた透光性を有する可動部（傘部材）とを備えている。
【０００３】
可動部は、一端側がヒンジを介して固定部に回動可能に取付けられ、他端側がフック部とラッチ部とからなるロック装置を介して固定部にロックされている。
【０００４】
照明器具の交換や清掃等のメンテナンスを行う場合には、作業員がかご室内に入り、ロック装置のロック状態を解除し、ヒンジを支点として可動部を下方向きに回動させ、開口部を開放する。そして、開放された開口部から作業員が手を入れ、照明器具のメンテナンスを行う。
【０００５】
さらに、特許文献１に記載されたエレベータのかご室内照明装置には、ロック装置のロック状態が外れた場合に可動部が開口部を開放する位置に直ちに回動するという誤動作を防止するため、可動部を固定部に固定する第二のロック装置として機能するロックネジが設けられている。
【先行技術文献】
【特許文献】
【０００６】
【特許文献１】特開２０１０−６５７２号公報
【発明の概要】
【発明が解決しようとする課題】
【０００７】
特許文献１に記載されたエレベータのかご室内照明装置では、ロックネジを取付けるために固定部の下端側を可動部の外周側側面を覆う位置まで下げている。
【０００８】
このため、可動部の外周側側面を透過した照明器具の光が固定部により遮光され、かご室の天井面の周縁部が暗くなり、かご室内の意匠性が低下している。
【０００９】
また、ロック装置のロック操作やロック解除操作は、可動部の外周側側面と固定部との間の隙間から手や操作具を挿入して行っている。ところが、固定部の下端部が可動部の外周側側面を覆う位置まで下がっているため、手や操作具を挿入する隙間の上下方向の寸法が大きくなり、ロック装置のロック操作やロック解除操作に手間がかかっている。
【００１０】
本発明はこのような課題を解決するためになされたもので、その目的は、照明器具を覆う傘部材のロックを確実に行うとともに、傘部材の側面を透過した光によりかご室の天井面の周縁部を明るくしてかご室内の意匠性を向上させことである。
【課題を解決するための手段】
【００１１】
実施形態のエレベータのかご室内照明装置は、かご室の天井に取付けられる照明器具と、前記かご室の天井に取付けられるとともに前記かご室の天井に取付けられた前記照明器具の外周側に配置され、前記照明器具の下側に前記照明器具を露出させる開口部を有する照明器具ケースと、一端側をヒンジにより上下方向回動可能に前記照明器具ケースに連結され、前記開口部を閉止する閉止位置と前記開口部を開放する開放位置との間で回動するとともに、閉止位置に位置する場合に側面の少なくとも一部が前記照明器具ケースの下端部より下側に位置する透光性を有する傘部材と、前記傘部材の他端側に取付けられ、前記傘部材が閉止位置に位置する場合に前記照明器具ケースに取付けられたフック部に係脱可能に引っ掛けられるラッチ部と、前記傘部材の他端側の側面に取付けられたロック部材と、前記ロック部材を、前記かご室に設けられた保持部に係脱可能にロックするロック機構と、を備え、前記ロック部材は、閉止位置に位置する前記傘部材における水平方向へスライド可能に取付けられ、前記ロック機構は、前記ロック部材に形成されてこのロック部材のスライド方向に沿った方向に小径部と大径部とを有するダルマ穴と、前記保持部に固定されたナットと、前記小径部より大径であるとともに前記大径部より小径である頭部を一端側に有し、前記小径部に挿通されて他端側が前記ナットに螺合された場合に前記ロック部材と前記保持部とを締付け固定するロックネジと、を有する。
【図面の簡単な説明】
【００１２】
【図１】本発明の第１の実施の形態のかご室内照明装置を適用したエレベータの全体構造を示す断面図である。
【図２】かご室の断面図である。
【図３】図２に示したかご室のＡ−Ａ線断面図である。
【図４】傘部材を閉止位置でロックする機構部分を拡大して示す断面図である。
【図５】ロック部材を示す斜視図である。
【図６】ロック部材と保持部とのロック解除の手順を示す説明図である。
【図７】本発明の第２の実施の形態におけるロック部材と保持部とのロック解除の手順を示す説明図である。
【図８】本発明の第３の実施の形態におけるロック部材と保持部とのロック解除の手順を示す説明図である。
【図９】本発明の第４の実施の形態におけるロック部材と保持部とのロック解除の手順を示す説明図である。
【発明を実施するための形態】
【００１３】
（第１の実施の形態）
本発明の第１の実施の形態を図１ないし図６に基づいて説明する。図１に示すように、エレベータ１は、昇降路２内に配置された乗りかご３と釣合いおもり４とを備えている。エレベータ１が設置されている建物の各利用階には、乗りかご３に乗り降りするためのエレベータホール５が設けられている。エレベータホール５には、ホール出入口６と昇降路２との間を開閉するホールドア７が設けられている。
【００１４】
昇降路２の上方には機械室８が設けられている。機械室８内には、巻上機９と、エレベータ１の全体を制御する制御装置１０とが設けられている。巻上機９は、メインシーブ１１と、このメインシーブ１１を回転駆動するモータ１２とを備えている。メインシーブ１１にはメインロープ１３が巻き掛けられ、メインロープ１３の両端には乗りかご３と釣合いおもり４とが釣瓶式に連結されている。
【００１５】
乗りかご３は、かご枠１４とかご室１５とを備えている。かご枠１４は、水平方向に延びた上梁と下梁、及び、鉛直方向に延びた一対の縦枠を枠状に組み立てて形成されている。かご室１５は、エレベータ利用者が乗車可能な箱形に形成され、かご枠１４内に配置されている。
【００１６】
かご室１５は、かご床１６と側板１７と天井板１８とかごドア１９とを有し、天井板１８の下側にはかご室１５内を照明するかご室内照明装置２０が設けられている。
【００１７】
かご室内照明装置２０は、図２及び図３に示すように、複数の照明器具２１と、照明器具ケース２２と、保持部２３と、傘部材２４と、ヒンジ２５と、フック部２６と、ラッチ部２７と、ロック部材２８と、ロック機構２９とを備えている。
【００１８】
照明器具２１は、例えば蛍光灯であり、天井板１８の下面に交換可能に取付けられている。
【００１９】
照明器具ケース２２は、天井板１８に取付けられた照明器具２１の外周側に配置され、上端部が天井板１８に固定されている。照明器具ケース２２の内側面には、断面形状をＬ字形に形成されたフランジ２２ａが固定されている。照明器具ケース２２は、照明器具２１の外周側の４方向の全てに設けられていてもよく、又は、照明器具２１の外周側の２方向又は３方向に設けられ、残りの外周側が開放されていてもよい。この照明器具ケース２２における照明器具２１の下側部分には、照明器具２１を下向きに露出させる開口部３０が形成されている。
【００２０】
保持部２３は、照明器具ケース２２の外側に位置して天井板１８に取付けられた部材であり、かご室１５の上部側の側板を兼ねている。保持部２３の下端部には外側に向けて屈曲した屈曲部２３ａが形成されている。
【００２１】
傘部材２４は、透光性を有する板状の部材であり、図３において実線で示した閉止位置と、図３において二点鎖線で示した開放位置との間で上下方向回動可能に照明器具ケース２２に保持されている。傘部材２４が閉止位置に位置する場合、開口部３０が傘部材２４によって閉止されるとともに、天井板１８に取付けられた照明器具２１の下側が傘部材２４によって覆われている。なお、傘部材２４が閉止位置に位置する場合において、傘部材２４の側面の少なくとも一部は照明器具ケース２２の下端部より下側に位置している。
【００２２】
ヒンジ２５は、傘部材２４を閉止位置と開放位置との間で回動可能に保持する部材である。ヒンジ２５の一端は照明器具ケース２２のフランジ２２ａに固定され、ヒンジ２５の他端は傘部材２４の一端側に水平方向の軸心を有する支軸２５ａにより回動可能に連結されている。傘部材２４は、支軸２５ａを支点として閉止位置と開放位置との間で回動する。なお、ヒンジ２５は、傘部材２４の幅方向（図３において紙面と直交する方向）の両側に位置して一対設けられている。
【００２３】
フック部２６とラッチ部２７とは、傘部材２４を閉止位置でロックするための第一のロック手段であり、ラッチ部２７をフック部２６に引っ掛けることにより傘部材２４が閉止位置でロックされる。ラッチ部２７は、傘部材２４の他端側（ヒンジ２５が設けられている側の反対側）における傘部材２４の上面側に取付けられている。フック部２６は、照明器具ケース２２のフランジ２２ａに固定されている。なお、ラッチ部２７には、このラッチ部２７をフック部２６に引っ掛ける位置と、フック部２６への引っ掛けを解除する位置とに回動させるための操作レバー２７ａが設けられている。
【００２４】
ロック部材２８とロック機構２９とは、傘部材２４を閉止位置でロックするための第二のロック手段である。第一のロック手段であるフック部２６及びラッチ部２７に加えて、第二のロック手段であるロック部材２８とロック機構２９とが設けられていることにより、閉止位置での傘部材２４のロック状態を安定させることができる。
【００２５】
ロック部材２８は、図５に示すように、第一屈曲部２８ａと第二屈曲部２８ｂとからなる断面形状をＬ字形に形成された部材である。第一屈曲部２８ａには長穴３２が形成され、第二屈曲部２８ｂにはダルマ穴３３が形成されている。ダルマ穴３３は、ロック部材２８のスライド方向（長穴３２の長手方向と同じ方向）に沿った方向に連続して形成された小径部３３ａと大径部３３ｂとを有している。
【００２６】
ロック部材２８は、図３及び図６に示すように、傘部材２４における他端側（ヒンジ２５が設けられている側の反対側）の側面に取付けられている。傘部材２４の側面へのロック部材２８の取付けは、長穴３２に挿通した一対の取付ネジ３４を傘部材２４の側面に固定することにより行われている。一対の取付ネジ３４の間隔は長穴３２の長さ寸法より短く設定され、ロック部材２８は長穴３２の長手方向に沿ってスライド可能に傘部材２４に取付けられている。なお、ロック部材２８のスライド方向は、閉止位置に位置する傘部材２４における水平方向とされている。
【００２７】
ロック機構２９は、ロック部材２８を保持部２３に係脱可能にロックする機構であり、ロック部材２８に形成されたダルマ穴３３と、保持部２３の屈曲部２３ａに固定されたナット３５と、ダルマ穴３３を挿通してナット３５に螺合されるロックネジ３６とを有している。
【００２８】
ロックネジ３６は、ダルマ穴３３の小径部３３ａより大径であるとともにダルマ穴３３の大径部３３ｂより小径である頭部３６ａを一端側に有している。小径部３３ａに挿通されているロックネジ３６の他端側をナット３５に螺合させて締め付けることにより、第二屈曲部２８ｂと屈曲部２３ａとが押圧され、及び、第二屈曲部２８ｂとロックネジ３６の頭部３６ａとが押圧される。これにより、ロック部材２８と保持部２３とが締付け固定される。
【００２９】
保持部２３とロック部材２８とロックネジ３６とは、同じ色に塗装することが望ましい。これらの保持部２３とロック部材２８とロックネジ３６と同じ色に塗装することにより、ロック部材２８とロックネジ３６とを目立たなくすることができる。
【００３０】
なお、本実施の形態では、第二屈曲部２８ｂと屈曲部２３ａとが押圧される寸法にロック部材２８を形成した場合を例に挙げて説明したが、ロック部材２８は第二屈曲部２８ｂと屈曲部２３ａとが隙間をもって対向する寸法に形成されていてもよい。その場合でも、ロックネジ３６を締め付けることにより、ナット３５に螺合されたロックネジ３６の頭部３６ａが第二屈曲部２８ｂに押圧され、ロック部材２８と保持部２３とが締付け固定される。
【００３１】
このような構成において、図２及び図３の実線で示した傘部材２４は、閉止位置でロックされた状態であり、図３の二点鎖線で示した傘部材２４は、開放位置に回動した状態である。
【００３２】
閉止位置に位置する傘部材２４は、フック部２６とラッチ部２７とからなる第一のロック手段において、ラッチ部２７をフック部２６に引っ掛けてロックされている。また、ロック部材２８とロック機構２９とからなる第二のロック手段において、ダルマ穴３３の小径部３３ａに挿通したロックネジ３６をナット３５に螺合させることによりロックされている。
【００３３】
したがって、傘部材２４が閉止位置に位置する場合には、傘部材２４はフック部２６とラッチ部２７とからなる第一のロック手段と、ロック部材２８とロック機構２９とからなる第二のロック手段とによりロックされている。このため、閉止位置に位置する傘部材２４に対して様々な振動や衝撃が加わった場合でも、ロック状態が外れて傘部材２４が開放位置に回動するという誤動作を防止することができる。
【００３４】
照明器具２１の清掃や交換等のメンテナンスを行う場合には、作業員がかご室１５内に入り、図３において実線で示す閉止位置でロックされている傘部材２４を図３において二点鎖線で示す開放位置に回動させる。
【００３５】
閉止位置でロックされている傘部材２４を開放位置に回動させる場合には、まず、第二のロック手段のロックを解除する。このロック解除は、以下の手順で行う。まず、図６（ａ）に示すロック状態から図６（ｂ）に示すようにロックネジ３６を緩め、第二屈曲部２８ｂと屈曲部２３ａ、及び、第二屈曲部２８ｂとロックネジ３６の頭部３６ａとの締付け状態を解除する。この締付け状態の解除により、ロック部材２８は長穴３２及びダルマ穴３３の長手方向に沿ってスライド可能となる。そこで、スライド可能となったロック部材２８を矢印Ｂ方向にスライドさせ、ロックネジ３６をダルマ穴３３の大径部３３ｂに位置させることにより、第二のロック手段によるロックが解除される。
【００３６】
第二のロック手段によるロックを解除した後、ラッチ部２７を回動させてフック部２６への引っ掛かりを解除することにより第一のロック手段によるロックを解除する。ラッチ部２７を回動させる操作は、傘部材２４の側面と照明器具ケース２２との間の隙間から操作工具を差し込み、操作レバー２７ａを回動させることにより行う。
【００３７】
第二のロック手段のロックと第一のロック手段のロックとを解除することにより、傘部材２４はヒンジ２５の支軸２５ａを支点として回動可能となり、傘部材２４を図３の二点鎖線で示す開放位置へ回動させることができる。傘部材２４が閉止位置から開放位置へ回動する場合、ロック部材２８も傘部材２４と共に回動する。ロック部材２８が傘部材２４と共に回動する場合、ロックネジ３６がダルマ穴３３の大径部３３ｂ内に位置しているため、大径部３３ｂの縁部とロックネジ３６とを干渉させることなくロックネジ３６をダルマ穴３３から外すことができる。
【００３８】
傘部材２４が開放位置に回動することにより照明器具ケース２２の開口部３０が開放され、作業員は開放された開口部３０から手を入れて照明器具２１のメンテナンスを行うことができる。
【００３９】
照明器具２１のメンテナンスを終了した後は、開放位置に位置する傘部材２４を閉止位置に回動させ、第一のロック手段によるロックと第二のロック手段によるロックとを行い、傘部材２４を閉止位置でロックする。
【００４０】
ここで、第一のロック手段を構成するフック部２６とラッチ部２７とは傘部材２４の上面側に配置されている。また、第二のロック手段を構成するロック部材２８は傘部材２４の側面に取付けられ、このロック部材２８がロック機構２９を用いて保持部２３にロックされている。そして、天井板１８に取付けられている照明器具２１の外周側に配置された照明器具ケース２２は、第二のロック手段を取付けるために使用していない。このため、傘部材２４を、傘部材２４の側面の少なくとも一部が照明器具ケース２２の下端部より下側に位置するように配置することができる。
【００４１】
したがって、照明器具２１から出射された後に傘部材２４の側面を透過した光のうち、照明器具ケース２２により遮光される光の量を減らすことができる。これにより、照明器具２１から出射されて傘部材２４の側面を透過した光が照明器具ケース２２により遮光されたためにかご室１５の天井側の周囲に暗い影ができるという事態の発生を抑制することができ、かご室１５の天井側の周囲が明るくなり、かご室１５内の意匠性及び美観を向上させることができる。
【００４２】
また、傘部材２４の側面の少なくとも一部が照明器具ケース２２の下端部より下側に位置するように配置されているため、傘部材２４を閉止位置と開放位置との間で回動させる場合に、傘部材２４の側面が照明器具ケース２２に干渉して破損するという事態の発生を抑制することができる。
【００４３】
また、傘部材２４の側面の少なくとも一部が照明器具ケース２２の下端部より下側に位置するように配置されているため、ラッチ部２７を回動させるために傘部材２４の側面と照明器具ケース２２との間の隙間から操作工具を差し込んで操作レバー２７ａを回動させる場合において、操作工具の差し込み寸法が小さくなり、操作工具の操作性を向上させることができる。
【００４４】
また、傘部材２４の側面が照明器具ケース２２の下端部より下側に位置するように配置されているため、照明器具ケース２２と保持部２３とが上下方向で重なっている寸法が小さくなる。この照明器具ケース２２と保持部２３とが上下方向で重なっている部分はエアコンからの吹出口に用いられる部分であり、この吹出口の長さが短くなることにより結露発生を抑制することができる。
（第２の実施の形態）
本発明の第２の実施の形態を図７に基づいて説明する。なお、本実施の形態及び以下に説明する他の実施の形態において、第１の実施の形態で説明した構成要素と同じ構成要素には同じ符号を付け、重複する説明は省略する。
【００４５】
第２の実施の形態の基本的な構造は第１の実施の形態と同じである。第２の実施の形態が第１の実施の形態と異なる点は、傘部材２４の側面へのロック部材２８の取付け構造である。第２の実施の形態では、傘部材２４の側面へのロック部材２８の取付けが、長穴３２に挿通した一本の取付ネジ３４により行われている。
【００４６】
このため、ロック部材２８を矢印Ｂ方向にスライドさせ、ロックネジ３６をダルマ穴３３の大径部３３ｂ内に位置させた場合、ロック部材２８は取付ネジ３４を支点としてロック部材２８のスライド方向と直交する上下方向へ回動可能となる。
【００４７】
そこで、図７（ｃ）に示すように取付ネジ３４を支点としてロック部材２８を矢印Ｃ方向へ回動させる。この場合おいて、ロックネジ３６がダルマ穴３３の大径部３３ｂ内に位置しているため、大径部３３ｂの縁部とロックネジ３６とを干渉させることなくロック部材２８を回動させることができる。ついで、ラッチ部２７を回動させてフック部２６への引っ掛かりを解除することにより第一のロック手段によるロックを解除する。その後、図３において二点鎖線で示すように傘部材２４を開放位置に回動し、照明器具２１のメンテナンスを行う。
【００４８】
このような構成において、ロックネジ３６をダルマ穴３３から外す作業を、傘部材２４に比べて小型の部品であるロック部材２８を回動させることにより行える。このため、ロックネジ３６をダルマ穴３３から外す作業を容易に行え、傘部材２４を開放位置に回動させる場合にロックネジ３６が大径部３３ｂの縁部に干渉するという事態の発生を確実に防止することができる。
（第３の実施の形態）
本発明の第３の実施の形態を図８に基づいて説明する。第３の実施の形態の基本的な構造は第１の実施の形態と同じである。第３の実施の形態が第１の実施の形態と異なる点は、傘部材２４を閉止位置でロックする第二のロック手段を構成するロック機構２９Ａの構造である。
【００４９】
ロック機構２９Ａは、小径部３３ａと大径部３３ｂとを有するダルマ穴３３と、保持部２３に固定されたマグネット４１と、ロックピン４２とを有している。
【００５０】
ロックピン４２は、屈曲部２３ａに形成された挿通穴２３ｂに上下方向スライド可能に挿通されている。
【００５１】
ロックピン４２の一端側には、小径部３３ａより大径であるとともに大径部３３ｂより小径である頭部４２ａが形成され、ロックピン４２の他端側には表面積を大きくしてマグネット４１への吸着性を高くした吸着部４２ｂが形成されている。また、ロックピン４２の略中央部には、挿通穴２３ｂより大径であるストッパ部４２ｃが形成されている。ロックピン４２を小径部３３ａに挿通して吸着部４２ｂをマグネット４１に吸着させた場合に、第二屈曲部２８ｂと屈曲部２３ａとが押圧され、及び、第二屈曲部２８ｂとロックピン４２の頭部４２ａとが押圧される。これにより、ロック部材２８と保持部２３とが締付け固定される。
【００５２】
このような構成において、第二のロック手段のロックを解除する場合には、図８（ａ）に示したように吸着部４２ｂをマグネット４１に吸着されているロックピン４２を下向きに引っ張り、図８（ｂ）に示すように吸着部４２ｂをマグネット４１から離反させる。これにより、マグネット４１によるロックピン４２の吸着が解除され、第二屈曲部２８ｂと屈曲部２３ａ、及び、第二屈曲部２８ｂとロックピン４２の頭部４２ａとの締付け状態が解除される。この締め付け状態の解除により、ロック部材２８は長穴３２及びダルマ穴３３の長手方向に沿ってスライド可能となる。そこで、スライド可能となったロック部材２８を矢印Ｂ方向にスライドさせ、ロックピン４２をダルマ穴３３の大径部３３ｂ内に位置させることにより、第二のロック手段によるロックを解除する。
【００５３】
第二のロック手段によるロックを解除した後は、第１の実施の形態において説明したように、第一のロック手段によるロックを解除する。
【００５４】
そして、第二のロック手段によるロックと第一のロック手段によるロックを解除した後に傘部材２４を図３において二点鎖線で示した開放位置に回動させ、照明器具２１のメンテナンスを行う。
【００５５】
ここで、第３の実施の形態においても第１の実施の形態と同様に、傘部材２４は、傘部材２４の側面の少なくとも一部が照明器具ケース２２の下端部より下側に位置するように配置されている。したがって、第３の実施の形態でも、傘部材２４の側面が照明器具ケース２２の下端部より下側に位置することに起因する第１の実施の形態で説明した作用及び効果と同じ作用及び効果を奏する。
【００５６】
なお、第３の実施の形態においても、図７に示した第２の実施の形態と同様に傘部材２４をスライド方向と直交する上下方向へ回動可能としてもよい。
（第４の実施の形態）
本発明の第４の実施の形態を図９に基づいて説明する。第４の実施の形態の基本的な構造は第１の実施の形態と同じである。第４の実施の形態が第１の実施の形態と異なる点は、傘部材２４を閉止位置でロックする第二のロック手段を構成するロック機構２９Ｂの構造である。
【００５７】
ロック機構２９Ｂは、小径部３３ａと大径部３３ｂとを有するダルマ穴３３と、ロックピン５１と、コイルバネ５２とを有している。
【００５８】
ロックピン５１は、一端側に小径部３３ａより大径であるとともに大径部３３ｂより小径である頭部５１ａを有し、他端側にバネ受け部５１ｂを有し、屈曲部２３ａに形成された挿通穴２３ｂに上下方向スライド可能に挿通されている。バネ受け部５１ｂは、コイルバネ５２をロックピン５１の周囲に装着した場合に、コイルバネ５２が抜け落ちることを防止する。
【００５９】
コイルバネ５２は、ロックピン５１の外周であってバネ受け部５１ｂと保持部２３の屈曲部２３ａとの間に介装される部材である。コイルバネ５２を外周に取付けたロックピン５１が小径部３３ａに挿通されている場合、ロックピン５１はコイルバネ５２の付勢力により第二屈曲部２８ｂと屈曲部２３ａとが押圧され、及び、第二屈曲部２８ｂとロックピン５１の頭部５１ａとが押圧される。これにより、ロック部材２８と保持部２３とが締付け固定される。
【００６０】
このような構成において、第二のロック手段のロックを解除する場合には、コイルバネ５２の付勢力により頭部２１ａを第二屈曲部２８ｂに押圧させているロックピン５１を下向きに引っ張り、図９（ｂ）に示すように頭部２１ａを第二屈曲部２８ｂから離反させる。これにより、第二屈曲部２８ｂと屈曲部２３ａ、及び、第二屈曲部２８ｂとロックピン５１の頭部５１ａとの締付け状態が解除される。この締め付け状態の解除により、ロック部材２８は長穴３２及びダルマ穴３３の長手方向に沿ってスライド可能となる。そこで、スライド可能となったロック部材２８を矢印Ｂ方向にスライドさせ、ロックピン５１をダルマ穴３３の大径部３３ｂ内に位置させることにより、第二のロック手段によるロックを解除する。
【００６１】
第二のロック手段によるロックを解除した後は、第１の実施の形態において説明したように、第一のロック手段によるロックを解除する。
【００６２】
そして、第二のロック手段によるロックと第一のロック手段によるロックを解除した後に傘部材２４を図３において二点鎖線で示した開放位置に回動させ、照明器具２１のメンテナンスを行う。
【００６３】
ここで、第４の実施の形態においても第１の実施の形態と同様に、傘部材２４は、傘部材２４の側面の少なくとも一部が照明器具ケース２２の下端部より下側に位置するように配置されている。したがって、第４の実施の形態でも、傘部材２４の側面が照明器具ケース２２の下端部より下側に位置することに起因する第１の実施の形態で説明した作用及び効果と同じ作用及び効果を奏する。
【００６４】
なお、第４の実施の形態においても、図７に示した第２の実施の形態と同様に傘部材２４をスライド方向と直交する上下方向へ回動可能としてもよい。
【符号の説明】
【００６５】
１５      かご室
２１      照明器具
２２      照明器具ケース
２４      傘部材
２５      ヒンジ
２６      フック部
２７      ラッチ部
２８      ロック部材
２９      ロック機構
２９Ａ    ロック機構
２９Ｂ    ロック機構
３３      ダルマ穴
３３ａ    小径部
３３ｂ    大径部
３５      ナット
３６      ロックネジ
３６ａ    頭部
４１      マグネット
４２      ロックピン
４２ａ    頭部
５１      ロックピン
５１ａ    頭部
５１ｂ    バネ受け部
５２      コイルバネ
【図１】
0005534987.tif 000002
【図２】
0005534987.tif 000003
【図３】
0005534987.tif 000004
【図４】
0005534987.tif 000005
【図５】
0005534987.tif 000006
【図６】
0005534987.tif 000007
【図７】
0005534987.tif 000008
【図８】
0005534987.tif 000009
【図９】
0005534987.tif 000010